(57)【要約】【課題】接続損失が小さく信頼性が高い光コネクタおよび光学部品を提供する。【解決手段】光ファイバ３は、その先端部がＶ溝１４から接着剤充填溝３３上に突出するように、かつ、その先端部とフェルール壁３１とが離間するように配置され、フェルール壁３１との間の隙間、および接着剤充填溝３３を含む光ファイバ３の周囲に充填された接着剤を硬化することにより、レンズ付フェルール２に固定されている。【選択図】図１
2014095861.tif 000002
【特許請求の範囲】
【請求項１】
先端にレンズ付フェルールを装着した光ファイバを対向配置し、前記レンズ付フェルールのレンズを介して光ファイバ同士を光学的に接続する光コネクタにおいて、
前記レンズ付フェルールは、前記光ファイバを載置するＶ溝が形成され前記レンズと一体に形成されたファイバ固定部を備え、前記ファイバ固定部の前記Ｖ溝に前記光ファイバを載置すると共に、前記光ファイバの周囲に接着剤を充填し、押さえ板により前記光ファイバを前記Ｖ溝側に押さえつけ前記接着剤を硬化させることで、前記光ファイバを前記レンズ付フェルールに固定するように構成され、
前記ファイバ固定部は、前記レンズが固定されるフェルール壁と、該フェルール壁の前記レンズと反対側に一体に形成されると共に、その表面に前記Ｖ溝が形成され前記光ファイバが載置される台座部と、該台座部の表面の前記フェルール壁側の端部に前記Ｖ溝と連通するように形成され、前記接着剤が充填される接着剤充填溝と、を備え、
前記光ファイバは、その先端部が前記Ｖ溝から前記接着剤充填溝上に突出するように、かつ、その先端部と前記フェルール壁とが離間するように配置され、前記フェルール壁との間の隙間、および前記接着剤充填溝を含む前記光ファイバの周囲に充填された接着剤を硬化することにより、前記レンズ付フェルールに固定されている
ことを特徴とする光コネクタ。
【請求項２】
前記接着剤充填溝に、前記光ファイバの先端面のクラッドに当接し、前記光ファイバの先端位置を決定する先端位置決定用突起を形成した
請求項１記載の光コネクタ。
【請求項３】
対向配置される前記両レンズ付フェルールが前記光ファイバの周方向に相対的に１８０度回転して配置されている
請求項１または２記載の光コネクタ。
【請求項４】
前記レンズ付フェルールは、射出成型により成型されたものであり、
前記両光ファイバの先端に装着されるレンズ付フェルールとして、同じ金型を用いて射出成型されたものを用いた
請求項３記載の光コネクタ。
【請求項５】
光ファイバの先端にレンズ付フェルールを装着した光学部品であって、
前記レンズ付フェルールは、前記光ファイバを載置するＶ溝が形成され前記レンズと一体に形成されたファイバ固定部を備え、前記ファイバ固定部の前記Ｖ溝に前記光ファイバを載置すると共に、前記光ファイバの周囲に接着剤を充填し、押さえ板により前記光ファイバを前記Ｖ溝側に押さえつけ前記接着剤を硬化させることで、前記光ファイバを前記レンズ付フェルールに固定するように構成され、
前記ファイバ固定部は、前記レンズが固定されるフェルール壁と、該フェルール壁の前記レンズと反対側に一体に形成されると共に、その表面に前記Ｖ溝が形成され前記光ファイバが載置される台座部と、該台座部の表面の前記フェルール壁側の端部に前記Ｖ溝と連通するように形成され、前記接着剤が充填される接着剤充填溝と、を備え、
前記光ファイバは、その先端部が前記Ｖ溝から前記接着剤充填溝上に突出するように、かつ、その先端部と前記フェルール壁とが離間するように配置され、前記フェルール壁との間の隙間、および前記接着剤充填溝を含む前記光ファイバの周囲に充填された接着剤を硬化することにより、前記レンズ付フェルールに固定されている
ことを特徴とする光学部品。
【発明の詳細な説明】
【技術分野】
【０００１】
本発明は、コリメート型の光コネクタおよび光学部品に関するものである。
【背景技術】
【０００２】
従来より、先端にレンズ付フェルールを装着した光ファイバを対向配置し、レンズ付フェルールのレンズ（コリメートレンズ）を介して光ファイバ同士を光学的に接続するコリメート型の光コネクタが知られている。
【０００３】
このコリメート型の光コネクタでは、一方のコネクタ部において、一方の光ファイバから出射され拡がった光をレンズで平行光に変換して出射し、他方のコネクタ部において、入射された平行光を、レンズにより集光して他方の光ファイバに入射する。
【０００４】
コリメート型の光コネクタでは、レンズ間でビーム径が大きくなっているため、コネクタ部同士の相対的な位置ずれ（対向するレンズ付フェルール同士の相対的な位置ずれ）による光損失を比較的小さくすることが可能である。
【０００５】
このような光コネクタでは、光ファイバを載置するＶ溝が形成されレンズと一体に形成されたファイバ固定部を備えたレンズ付フェルールを用い、光ファイバをＶ溝に載置することで光ファイバのレンズに対する位置合わせを行うパッシブ実装が広く用いられている。
【０００６】
より具体的には、パッシブ実装を行う光コネクタでは、ファイバ固定部のＶ溝に光ファイバを載置すると共に、光ファイバの周囲に接着剤を充填し、押さえ板により光ファイバをＶ溝側に押さえつけ接着剤を硬化させることで、光ファイバがレンズ付フェルールに固定されている。
【０００７】
なお、この出願の発明に関連する先行技術文献情報としては、特許文献１〜３がある。
【先行技術文献】
【特許文献】
【０００８】
【特許文献１】特開２００８−１５１８４３号公報
【特許文献２】特開２００９−１４５４２７号公報
【特許文献３】特開２００３−４３３１３号公報
【発明の概要】
【発明が解決しようとする課題】
【０００９】
しかしながら、上述のようなパッシブ実装を行う際には、光ファイバの先端部に応力集中が発生し易く、光ファイバの先端部にて接着剤の気泡や剥がれが生じやすい、という問題がある。接着剤に気泡や剥がれが生じると、接続損失が増加したり、信頼性が劣化してしまう。
【００１０】
本発明は上記事情に鑑み為されたものであり、接続損失が小さく信頼性が高い光コネクタおよび光学部品を提供することを目的とする。
【課題を解決するための手段】
【００１１】
本発明は上記目的を達成するために創案されたものであり、先端にレンズ付フェルールを装着した光ファイバを対向配置し、前記レンズ付フェルールのレンズを介して光ファイバ同士を光学的に接続する光コネクタにおいて、前記レンズ付フェルールは、前記光ファイバを載置するＶ溝が形成され前記レンズと一体に形成されたファイバ固定部を備え、前記ファイバ固定部の前記Ｖ溝に前記光ファイバを載置すると共に、前記光ファイバの周囲に接着剤を充填し、押さえ板により前記光ファイバを前記Ｖ溝側に押さえつけ前記接着剤を硬化させることで、前記光ファイバを前記レンズ付フェルールに固定するように構成され、前記ファイバ固定部は、前記レンズが固定されるフェルール壁と、該フェルール壁の前記レンズと反対側に一体に形成されると共に、その表面に前記Ｖ溝が形成され前記光ファイバが載置される台座部と、該台座部の表面の前記フェルール壁側の端部に前記Ｖ溝と連通するように形成され、前記接着剤が充填される接着剤充填溝と、を備え、前記光ファイバは、その先端部が前記Ｖ溝から前記接着剤充填溝上に突出するように、かつ、その先端部と前記フェルール壁とが離間するように配置され、前記フェルール壁との間の隙間、および前記接着剤充填溝を含む前記光ファイバの周囲に充填された接着剤を硬化することにより、前記レンズ付フェルールに固定されている光コネクタである。
【００１２】
前記接着剤充填溝に、前記光ファイバの先端面のクラッドに当接し、前記光ファイバの先端位置を決定する先端位置決定用突起を形成してもよい。
【００１３】
対向配置される前記両レンズ付フェルールが前記光ファイバの周方向に相対的に１８０度回転して配置されていてもよい。
【００１４】
前記レンズ付フェルールは、射出成型により成型されたものであり、前記両光ファイバの先端に装着されるレンズ付フェルールとして、同じ金型を用いて射出成型されたものを用いてもよい。
【００１５】
また、本発明は、光ファイバの先端にレンズ付フェルールを装着した光学部品であって、前記レンズ付フェルールは、前記光ファイバを載置するＶ溝が形成され前記レンズと一体に形成されたファイバ固定部を備え、前記ファイバ固定部の前記Ｖ溝に前記光ファイバを載置すると共に、前記光ファイバの周囲に接着剤を充填し、押さえ板により前記光ファイバを前記Ｖ溝側に押さえつけ前記接着剤を硬化させることで、前記光ファイバを前記レンズ付フェルールに固定するように構成され、前記ファイバ固定部は、前記レンズが固定されるフェルール壁と、該フェルール壁の前記レンズと反対側に一体に形成されると共に、その表面に前記Ｖ溝が形成され前記光ファイバが載置される台座部と、該台座部の表面の前記フェルール壁側の端部に前記Ｖ溝と連通するように形成され、前記接着剤が充填される接着剤充填溝と、を備え、前記光ファイバは、その先端部が前記Ｖ溝から前記接着剤充填溝上に突出するように、かつ、その先端部と前記フェルール壁とが離間するように配置され、前記フェルール壁との間の隙間、および前記接着剤充填溝を含む前記光ファイバの周囲に充填された接着剤を硬化することにより、前記レンズ付フェルールに固定されている光学部品である。
【発明の効果】
【００１６】
本発明によれば、接続損失が小さく信頼性が高い光コネクタおよび光学部品を提供できる。
【図面の簡単な説明】
【００１７】
【図１】本発明の一実施の形態に係る光コネクタを示す図であり、（ａ）は斜視図、（ｂ）は断面図とその要部拡大図である。
【図２】図１の光コネクタの接続状態を説明する図である。
【図３】図１の光コネクタにおけるレンズ付フェルールを示す図であり、（ａ）は斜視図、（ｂ）はガラス板を省略した斜視図、（ｃ）は（ａ）の３Ｃ−３Ｃ線断面図である。
【図４】図１の光コネクタに用いるレンズ付フェルールの一変形例を示す断面図である。
【図５】（ａ）は図１の光コネクタにおけるハウジングの斜視図、（ｂ）はハウジングにレンズ付フェルールを挿入したときの断面図である。
【図６】図１の光コネクタにおけるハウジングの斜視図である。
【発明を実施するための形態】
【００１８】
以下、本発明の実施の形態を添付図面にしたがって説明する。
【００１９】
図１は、本実施の形態に係る光コネクタを示す図であり、（ａ）は斜視図、（ｂ）は断面図とその要部拡大図である。
【００２０】
図１（ａ），（ｂ）に示すように、光コネクタ１は、先端にレンズ付フェルール２を装着した光ファイバ３を対向配置し、レンズ付フェルール２のレンズ４を介して光ファイバ３同士を光学的に接続するものである。
【００２１】
光コネクタ１は、２本の光ファイバ３の先端部にそれぞれ設けたコネクタ部５同士を嵌合させて、両光ファイバ３の光学的接続を行うものである。本実施の形態では、両コネクタ部５として全く同じものを用いているため、特に両コネクタ部５を区別して説明しないが、両コネクタ部５として形状の異なるものを用いることも当然に可能である。
【００２２】
コネクタ部５は、光ファイバ３の先端に装着されるレンズ付フェルール２と、レンズ付フェルール２の先端に装着される筒状のハウジング６と、を備えている。光ファイバ３の先端にレンズ付フェルール２を装着したものが、本実施の形態に係る光学部品１００である。
【００２３】
レンズ付フェルール２は、樹脂からなり、射出成型により成型されたものである。レンズ４はコリメートレンズであり、射出成型時にインサートすることで樹脂部分と一体化されている。レンズ付フェルール２の詳細な形状については後述する。
【００２４】
レンズ付フェルール２は、その先端部がハウジング６の中空部７内に挿入され固定されている。ハウジング６は、機器等に固定される横断面視が略矩形状（角を丸めた矩形状）のフランジ部８と、フランジ部８の後方に一体に形成された円筒状のフェルール保持部９と、から構成されている。フランジ部８には、機器等に固定する際に固定用のネジを通すネジ穴８ａが形成されている。ハウジング６は、例えば金属からなる。中空部７のレンズ付フェルール２の挿入側と反対側には、中空部７の開口を塞ぐようにガラス板２１が接着剤等により固定されている。なお、ガラス板２１は省略可能である。
【００２５】
光コネクタ１では、両ハウジング６の先端面同士（フランジ部８の先端面同士）を当接させ固定することにより、両光ファイバ３を対向配置した状態で固定するように構成されている。本実施の形態では、図示しない固定部材で両ハウジング６を固定するように構成したが、ハウジング６自体に両ハウジング６を固定するための機構を設けることも可能である。
【００２６】
本実施の形態に係る光コネクタ１では、両レンズ付フェルール２が光ファイバ３の周方向に相対的に１８０度回転して配置されている。つまり、光コネクタ１は、両コネクタ部５を固定する際に、対向する両レンズ付フェルール２が上下左右反転して向かい合うように構成されている。
【００２７】
上述のように、射出成型により成型されたレンズ付フェルール２では、金型の製作公差により、レンズ４の焦点位置と光ファイバ３の実装位置（つまり、レンズ４の中心位置と光ファイバ３の中心位置）に微少な公差が発生してしまう。
【００２８】
本実施の形態では、図２に示すように、両レンズ付フェルール２を光ファイバ３の周方向に相対的に１８０度回転して配置しているため、両コネクタ部５において、レンズ４の中心位置に対する光ファイバ３の中心位置の位置ずれの方向が逆方向（両光ファイバ３の中心位置がレンズ４の中心位置に対して点対称の位置）となる。その結果、レンズ４と光ファイバ３の中心位置がずれている場合であっても、光学的にずれがキャンセルされるため、対向するレンズ４の中心位置同士が精度良く位置合わせされていれば、光の接続損失を最も少なくすることが可能になる。なお、図２における下側の図は、ハウジング６の先端側から見たときのレンズ４と光ファイバ３、Ｖ溝１４の位置関係を示している。
【００２９】
ここで、レンズ付フェルール２やハウジング６の具体的な形状について詳細に説明しておく。まず、レンズ付フェルール２について説明する。
【００３０】
図１および図３に示すように、レンズ付フェルール２は、光ファイバ３を載置するＶ溝１４が形成されレンズ４と一体に形成されたファイバ固定部１０と、ファイバ固定部１０の後方に一体に形成され、光ファイバ３を通す挿通穴１２が形成された筒状部１１と、を備えている。
【００３１】
ファイバ固定部１０は、レンズ４が固定される（レンズ４と一体に形成される）フェルール壁３１と、フェルール壁３１のレンズ４と反対側に一体に形成されると共に、その表面にＶ溝１４が形成され光ファイバ３が載置される台座部３２と、を備えている。台座部３２は、レンズ４と略同じ径の円柱体（中実円筒体）の側面に断面矩形状の凹部（切欠き）１３を形成した形状となっている。
【００３２】
ファイバ固定部１０のＶ溝１４に光ファイバ３を載置すると共に、光ファイバ３の周囲に接着剤（図示せず）を充填し、ガラス板などの押さえ板１５により光ファイバ３をＶ溝１４側に押さえつけた状態で接着剤を硬化させることで、光ファイバ３がレンズ付フェルール２に固定される。また、筒状部１１の挿通穴１２にも接着剤が充填され、硬化される。接着剤としては、例えば、紫外線硬化性樹脂を用いることができる。
【００３３】
なお、光コネクタ１において上述の金型の製作公差が問題となるのは、レンズ４とＶ溝１４の相対的な位置ずれである。レンズ４とＶ溝１４の相対的な位置がずれると、レンズ４と光ファイバ３の中心位置がずれることになる。
【００３４】
さて、本実施の形態に係る光コネクタ１では、図１（ｂ）および図３（ｂ）に示すように、台座部３２の表面のフェルール壁３１側の端部に、Ｖ溝１４と連通するように、接着剤が充填される接着剤充填溝３３を形成している。接着剤充填溝３３は、台座部３２の表面に凹状に形成された溝であり、上面視でＶ溝１４を中心として両側方に延びるように形成されている。
【００３５】
光ファイバ３は、その先端部がＶ溝１４から接着剤充填溝３３上に突出するように、かつ、その先端部とフェルール壁３１とが離間するように配置される。光ファイバ３は、その先端部とフェルール壁３１との間の隙間、および接着剤充填溝３３を含む光ファイバ３の周囲に充填された接着剤を硬化することにより、レンズ付フェルール２に固定される。
【００３６】
光ファイバ３を実装する際には、特に、フェルール壁３１と台座部３２の間の角部（図１（ｂ）の拡大図における右下の角部）に気泡が発生し易い。本実施の形態では、接着剤充填溝３３を形成しているため、接着剤を充填する際の流れがよくなり、気泡の発生を低減することが可能になる。また、接着剤充填溝３３を形成することにより、気泡が発生し易い角部を光ファイバ３から離すことが可能となり、たとえ角部に気泡が発生した場合であっても、気泡による接続損失の増加を抑制することが可能になる。さらには、接着剤充填溝３３に充填された接着剤により、光ファイバ３とレンズ付フェルール２（ファイバ固定部１０）間の応力集中を緩和することも可能になり、応力集中による接着剤の剥がれを抑制できる。
【００３７】
また、本実施の形態では、光ファイバ３の先端部とフェルール壁３１とを離間させ、その間の隙間に接着剤を充填しているため、接着剤充填時の接着剤の流れをよくし、なおかつその隙間に充填された接着剤により光ファイバ３の先端部を強固に固定し、応力集中による接着剤の剥がれを抑制できる。なお、本実施の形態では、光ファイバ３の先端部とフェルール壁３１とを離間させているため、レンズ４としては、その焦点がフェルール壁３１よりも後方となるように設計されたものを用いる必要がある。
【００３８】
光ファイバ３は、その先端位置がレンズ４の焦点位置と一致するように精度よく位置決めされる必要がある。そこで、図４に示すように、接着剤充填溝３３に、光ファイバ３の先端面のクラッド３ｂ（コア３ａから離れた位置）に当接し、光ファイバ３の先端位置を決定する先端位置決定用突起３４を形成することで、光ファイバ３の先端位置の位置決めを容易とし、生産性の向上を図ることも可能である。
【００３９】
図１，３に戻り、筒状部１１は、円筒体（中空円筒体）の両側を平行に（ファイバ固定部１０の台座部３２の表面と平行に）切り欠いた形状に形成されている。切欠きにより形成された２つの対向した平行部１６のうち、凹部１３側（押さえ板１５を設ける側、図１の上側）の平行部１６には、後述するロック機構１７の係止爪１８を係止する係止突起１９が形成されている。また、係止突起１９の後方の平行部１６には、係止爪１８に干渉してレンズ付フェルール２のハウジング６への過挿入を防止する過挿入防止突起２０が形成されている。
【００４０】
両レンズ付フェルール２としては、レンズ４と光ファイバ３の中心位置のずれが等しいものを用いる必要がある。そのため、両レンズ付フェルール２としては、同じ金型を用いて射出成型されたものを用いる。
【００４１】
次に、ハウジング６について説明する。
【００４２】
図２に示すように、両ハウジング６の先端面（フランジ部８の先端面）には、位置合わせ用の突起２２と該突起２２を収容する溝２３とがそれぞれ形成されている。本実施の形態では、この突起２２と溝２３を、両レンズ付フェルール２を光ファイバ３の周方向に相対的に１８０度回転したときのみ（両レンズ付フェルール２を上下左右反転させた状態でのみ）嵌合できるように形成した。
【００４３】
具体的には、本実施の形態では、ハウジング６として、先端面の一側（図２では上下方向における一側）に１つ以上（ここでは２つ）の突起２２を形成し、他側（図２では上下方向における他側）に突起２２に対応する１つ以上（ここでは２つ）の溝２３を形成し、先端面を正面から見たときに突起２２と溝２３を結んだ直線が矩形状となるように構成したものを用いた。このように構成することで、２つのハウジング６として同じ形状のものを用いつつも、誤った方向で両ハウジング６を固定してしまうことがなくなり、部品点数の削減が可能になる。
【００４４】
なお、両レンズ付フェルール２を光ファイバ３の周方向に相対的に１８０度回転したときのみ嵌合できるようにする構造はこれに限定されるものではなく、例えば、突起２２と溝２３の断面形状を円形状ではなく非対称の形状としてもよいし、また、両ハウジング６が同じ形状とはならないが、突起２２と溝２３を非対称に形成することも可能である。また、突起２２と溝２３以外に、両ハウジング６の嵌合時の向きを規制する機構を別途設けることも勿論可能である。
【００４５】
図５および図６に示すように、ハウジング６の内壁（フランジ部８の内壁）には、中空部７に突出し、レンズ付フェルール２の先端部を挟持して周方向の位置決めをする先端位置決め用突起２４が形成されている。先端位置決め用突起２４を形成することにより、レンズ付フェルール２の先端部のがたつきがなくなり、レンズ４を精度よく位置決めすることが可能になる。
【００４６】
本実施の形態では、中空部７の周方向に沿って等間隔に３つの先端位置決め用突起２４を形成したが、先端位置決め用突起２４の数はこれに限定されるものではない。ただし、レンズ４の位置決め精度を向上させるため、先端位置決め用突起２４は３つ以上形成されることが望ましい。
【００４７】
先端位置決め用突起２４は、先端側に向けて徐々に突出長が長くなるように横長に形成されることが望ましい。これは、レンズ付フェルール２の挿入を容易とし、かつ、レンズ付フェルール２の先端部をしっかりと挟持してレンズ４を精度良く位置決めするためである。なお、先端位置決め用突起２４の突出長に変化をつけず、レンズ付フェルール２のファイバ固定部１０を基端側に向けて徐々に拡径するように形成することでも、同様の作用を得ることが可能である。
【００４８】
図１，５，６に示すように、ハウジング６は、レンズ付フェルール２に形成された係止突起１９に係止してレンズ付フェルール２をハウジング６に固定する係止爪１８を有するロック機構１７を有している。係止爪１８には貫通孔１８ａが形成されており、この貫通孔１８ａと、フェルール保持部９に形成された貫通孔９ａとを貫くように図示しない回動軸を設けることで、当該回動軸まわりに回動可能に係止爪１８が設けられている。
【００４９】
係止爪１８はバネ２５により付勢されており、バネ２５のバネ力により中空部７に挿入されたレンズ付フェルール２（筒状部１１）を押さえつけるよう構成されている。また、係止爪１８による係止が意図せず解除されることがないよう係止爪１８をロックするストッパ２６が設けられている。ロック機構１７はハウジング６の一側のみに設けられており、このロック機構１７の有無により、レンズ付フェルール２の向きが分別できるようになっている。
【００５０】
ところで、レンズ付フェルール２の先端部を先端位置決め用突起２４により固定しても、レンズ付フェルール２の後方が係止爪１８により押しつけられてレンズ付フェルール２が傾いてしまうと、光軸のずれにより光の接続損失が大きくなってしまう。そこで、本実施の形態では、係止爪１８と対向する位置のハウジング６の内壁に、係止爪１８による押圧に対抗してレンズ付フェルール２の傾斜を抑制する傾斜抑制用突起２７を形成している。
【００５１】
本実施の形態では、係止爪１８と対向する位置に１つの傾斜抑制用突起２７を形成したが、傾斜抑制用突起２７を中空部７の周方向に沿って複数に分割することも可能である。この場合、係止爪１８の直下に傾斜抑制用突起２７を形成せずとも、その両脇に傾斜抑制用突起２７を形成すればレンズ付フェルール２の傾斜は抑制可能である。
【００５２】
以上説明したように、本実施の形態に係る光コネクタ１および光学部品１００では、ファイバ固定部１０が、台座部３２の表面のフェルール壁３１側の端部にＶ溝１４と連通するように形成され、接着剤が充填される接着剤充填溝３３を備え、光ファイバ３は、その先端部がＶ溝１４から接着剤充填溝３３上に突出するように、かつ、その先端部とフェルール壁３１とが離間するように配置され、フェルール壁３１との間の隙間、および接着剤充填溝３３を含む光ファイバ３の周囲に充填された接着剤を硬化することにより、レンズ付フェルール２に固定されている。
【００５３】
このように構成することで、接着剤を充填する際の接着剤の流れをよくして気泡の発生を抑制することができ、かつ、接着剤充填溝３３に充填された接着剤で光ファイバ３とレンズ付フェルール２間の応力集中を緩和すると共に、光ファイバ３とフェルール壁３１間に接着剤を充填して光ファイバ３を強固に固定することが可能となり、光ファイバ３の先端部に応力集中が発生することによる接着剤の剥がれを抑制することが可能になる。
【００５４】
したがって、本発明によれば、接着剤の気泡や剥がれを抑制した、接続損失が小さく信頼性が高い光コネクタ１および光学部品１００を実現できる。
【００５５】
また、接着剤充填溝３３に、光ファイバ３の先端面のクラッド３ｂに当接し、光ファイバ３の先端位置を決定する先端位置決定用突起３４を形成することで、光ファイバ３の先端位置の位置決めを容易とし、生産性を向上することが可能になる。
【００５６】
また、本実施の形態に係る光コネクタ１では、両レンズ付フェルール２が光ファイバ３の周方向に相対的に１８０度回転して配置されている。
【００５７】
これにより、実装後の両光ファイバ３の中心位置がレンズ４の中心位置に対して点対称の位置となり、金型の製作公差等によりレンズ４と光ファイバ３の中心位置がずれている場合であっても、光学的にずれがキャンセルされるため、対向するレンズ４の中心位置同士が精度良く位置合わせされていれば、光の接続損失を最も少なくすることが可能になる。つまり、光コネクタ１によれば、レンズ４の焦点位置と光ファイバ３の実装位置（Ｖ溝１４）の公差による光の接続損失を抑制することが可能になる。
【００５８】
本発明は上記実施の形態に限定されるものではなく、本発明の趣旨を逸脱しない範囲で種々の変更を加え得ることは勿論である。
【符号の説明】
【００５９】
１  光コネクタ
２  レンズ付フェルール
３  光ファイバ
４  レンズ
５  コネクタ部
６  ハウジング
１０  ファイバ固定部
１４  Ｖ溝
１５  押さえ板
３１  フェルール壁
３２  台座部
３３  接着剤充填溝
１００  光学部品
【図１】
2014095861.tif 000003
【図２】
2014095861.tif 000004
【図３】
2014095861.tif 000005
【図４】
2014095861.tif 000006
【図５】
2014095861.tif 000007
【図６】
2014095861.tif 000008